(57)【要約】  【目的】  画像データをダウンロードするときにユーザに意外性をもたせる。  【構成】  携帯電話１から画像サーバ３にキャラクタ画像データをリクエストする（ステップ11）。キャラクタ画像をリクエストしたユーザが100人目であれば（ステップ24でＹＥＳ），リクエストに応じたキャラクタ画像データの他に当選データが画像サーバ３から携帯電話１に送信される（ステップ25）。携帯電話１の表示画面にキャラクタ画像のほかに，抽選により当選した旨のメッセージが表示される（ステップ13）。当選品のリクエスト・データが携帯電話１から画像サーバ３に送信されることにより（ステップ16），画像サーバ３から携帯電話１に当選品画像データが送信される（ステップ28）。画像データをリクエストしたことにより，リクエストした画像データだけでなく，その他の画像データも抽選によりもらえることとなる。  【選択図】  図２
2005208778.tif 000002
【特許請求の範囲】
【請求項１】
互いに通信可能なクライアント・コンピュータと画像サーバとを含む画像データ通信システムにおいて，
上記クライアント・コンピュータが，
上記画像サーバに画像データをリクエストするデータを送信する画像リクエスト・データ送信手段を備え，
上記画像サーバが，
上記クライアント・コンピュータの上記画像リクエスト・データ送信手段から送信されたリクエスト・データを受信する画像リクエスト・データ受信手段，
上記画像リクエスト・データ受信手段においてリクエスト・データを受信したことに応答して，コンピュータを用いて抽選を行う抽選手段，ならびに
上記抽選手段による抽選により当選となったことに応じて上記リクエスト・データ受信手段において受信したリクエスト・データに対応した第１の画像データおよび当選を報知する当選データを上記クライアント・コンピュータに送信し，上記抽選手段による抽選により当選から外れたことにより，上記リクエスト・データ受信手段において受信したリクエスト・データに対応して上記第１の画像データを上記クライアント・コンピュータに送信するデータ送信手段，
を備えた画像データ通信システム。
【請求項２】
上記クライアント・コンピュータが，
上記画像サーバの上記データ送信手段から送信されたデータを受信するデータ受信手段，および
上記データ受信手段により受信したデータに上記第１の画像データと当選データとが含まれていることに応じて，上記第１の画像データによって表される画像と上記当選データによって表される当選の旨を表示するように表示装置を制御する制御手段をさらに備えた請求項１に記載の画像データ通信システム。
【請求項３】
上記クライアント・コンピュータが，
当選に応じた商品をリクエストするデータを送信する当選品リクエスト・データ送信手段をさらに備え，
上記画像サーバが，
上記クライアント・コンピュータの上記当選品リクエスト・データ送信手段から送信された当選品リクエスト・データに応答して，対応する第２の画像データを上記クライアント・コンピュータに送信する当選品画像データ送信手段をさらに備えた，
請求項２に記載の画像データ通信システム。
【請求項４】
上記画像サーバの上記抽選手段が，
上記リクエスト・データ受信手段において受信したリクエスト・データに応答して，上記クライアント・コンピュータにリクエスト・データに対応した第１の画像データのほかに当選品である第２の画像データの送信を許可するかどうかを判定するものであり，
上記画像サーバの上記データ送信手段が，
上記第１の画像データのほかに当選品である第２の画像データの送信を許可すると判定されたことに応じて，上記第１の画像データおよび上記当選データを上記クライアント・コンピュータに送信するものである，
請求項１に記載の画像データ通信システム。
【請求項５】
クライアント・コンピュータから送信されたリクエスト・データを受信する画像リクエスト・データ受信手段，
上記画像リクエスト・データ受信手段においてリクエスト・データを受信したことに応答して，コンピュータを用いて抽選を行う抽選手段，ならびに
上記抽選手段による抽選により当選となったことに応じて上記リクエスト・データ受信手段において受信したリクエスト・データに対応した第１の画像データおよび当選を報知する当選データを上記クライアント・コンピュータに送信し，上記抽選手段による抽選により当選から外れたことにより，上記リクエスト・データ受信手段において受信したリクエスト・データに対応して上記第１の画像データを上記クライアント・コンピュータに送信するデータ送信手段，
を備えた画像サーバ。
【請求項６】
画像サーバに画像データをリクエストするデータを送信する画像リクエスト・データ送信手段，
上記画像サーバにおいてリクエスト・データを受信したことに応答して行われる，コンピュータを用いた抽選により当選となったことに応じて上記画像サーバから送信されるリクエスト・データに対応した第１の画像データおよび当選を報知する当選データを受信し，抽選により当選から外れたことにより，リクエスト・データに対応して上記第１の画像データを受信するデータ受信手段，および
上記データ受信手段により受信したデータに上記第１の画像データと当選データとが含まれていることに応じて，上記第１の画像データによって表される画像と上記当選データによって表される当選の旨を表示するように表示装置を制御する制御手段，
を備えたクライアント・コンピュータ。
【請求項７】
クライアント・コンピュータから送信されたリクエスト・データを受信し，
リクエスト・データを受信したことに応答して，コンピュータを用いて抽選を行い，
抽選により当選となったことに応じて受信したリクエスト・データに対応した第１の画像データおよび当選を報知する当選データを上記クライアント・コンピュータに送信し，  抽選により当選から外れたことにより，受信したリクエスト・データに対応して上記第１の画像データを上記クライアント・コンピュータに送信する，
画像サーバの制御方法。
【請求項８】
画像サーバに画像データをリクエストするデータを送信し，
上記画像サーバにおいてリクエスト・データを受信したことに応答して行われる，コンピュータを用いた抽選により当選となったことに応じて上記画像サーバから送信されるリクエスト・データに対応した第１の画像データおよび当選を報知する当選データを受信し，抽選により当選から外れたことにより，リクエスト・データに対応して上記第１の画像データを受信し，
受信したデータに上記第１の画像データと当選データとが含まれていることに応じて，上記第１の画像データによって表される画像と上記当選データによって表される当選の旨を表示するように表示装置を制御する，
クライアント・コンピュータの制御方法。
【請求項９】
クライアント・コンピュータから送信されたリクエスト・データを受信させ，
リクエスト・データを受信したことに応答して，コンピュータを用いて抽選を行なわせ，
抽選により当選となったことに応じて受信したリクエスト・データに対応した第１の画像データおよび当選を報知する当選データを上記クライアント・コンピュータに送信させ，
抽選により当選から外れたことにより，受信したリクエスト・データに対応して上記第１の画像データを上記クライアント・コンピュータに送信させるように画像サーバを制御するプログラム。
【請求項１０】
画像サーバに画像データをリクエストするデータを送信させ，
上記画像サーバにおいてリクエスト・データを受信したことに応答して行われる，コンピュータを用いた抽選により当選となったことに応じて上記画像サーバから送信されるリクエスト・データに対応した第１の画像データおよび当選を報知する当選データを受信し，抽選により当選から外れたことにより，リクエスト・データに対応して上記第１の画像データを受信させ，
受信したデータに上記第１の画像データと当選データとが含まれていることに応じて，上記第１の画像データによって表される画像と上記当選データによって表される当選の旨を表示するように表示装置を制御させるようにクライアント・コンピュータを制御するプログラム。
【請求項１１】
請求項９または10に記載のプログラムを格納した記録媒体。
【発明の詳細な説明】
【技術分野】
【０００１】
この発明は，画像データ通信システムならびに画像サーバおよびクライアント・コンピュータ，それらの制御方法ならびにそれらを制御するプログラムに関する。
【背景技術】
【０００２】
キャラクタは子供達に人気があるため，キャラクタを印刷するプリンタなどが考えられている（特許文献１）。
【特許文献１】実開昭62−43740号公報
【０００３】
また，キャラクタを印刷する場合に，インターネットを利用するものも考えられている（特許文献２）。
【特許文献２】特開2002-358355号公報
【０００４】
しかしながら，これらの装置においては，ユーザが要求したキャラクタを印刷するにすぎずに乏しい。
【発明の開示】
【０００５】
この発明は，画像データをダウンロードする場合にユーザに意外性をもたせることを目的とする。
【０００６】
第１の発明は，互いに通信可能なクライアント・コンピュータと画像サーバとを含む画像データ通信システムについてのものである。
【０００７】
上記クライアント・コンピュータは，上記画像サーバに画像データをリクエストするデータを送信する画像リクエスト・データ送信手段を備えている。
【０００８】
上記画像サーバは，上記クライアント・コンピュータの上記画像リクエスト・データ送信手段から送信されたリクエスト・データを受信する画像リクエスト・データ受信手段，上記画像リクエスト・データ受信手段においてリクエスト・データを受信したことに応答して，コンピュータを用いて抽選を行う抽選手段，ならびに上記抽選手段による抽選により当選となったことに応じて上記リクエスト・データ受信手段において受信したリクエスト・データに対応した第１の画像データおよび当選を報知する当選データを上記クライアント・コンピュータに送信し，上記抽選手段による抽選により当選から外れたことにより，上記リクエスト・データ受信手段において受信したリクエスト・データに対応して上記第１の画像データを上記クライアント・コンピュータに送信するデータ送信手段を備えている。
【０００９】
第１の発明によると，クライアント・コンピュータから画像サーバに，画像データをリクエストするデータが送信される。画像サーバにおいて，リクエスト・データが受信されると，その受信に応答してコンピュータによって抽選が行われる。
【００１０】
抽選により当選となると，リクエスト・データに対応した第１の画像データおよび当選を報知する当選データが画像サーバからクライアント・コンピュータに送信される。クライアント・コンピュータにおいて第１の画像データおよび当選データが受信されると，クライアント・コンピュータに接続される表示装置の表示画面上に第１の画像データによって表される画像および当選データによって表される当選の旨がそれぞれ表示される。クライアント・コンピュータのユーザは，画像データをリクエストしたことにより，何らかの抽選が行われ，意図せずともその抽選に当たったことが分かる。
【００１１】
抽選により当選から外れると，リクエスト・データに対応した第１の画像データが画像サーバからクライアント・コンピュータに送信される。クライアント・コンピュータにおいて第１の画像データが受信されると，クライアント・コンピュータに接続される表示装置の表示画面上に第１の画像データによって表される画像が表示される。
【００１２】
上記クライアント・コンピュータには，上記画像サーバの上記データ送信手段から送信されたデータを受信するデータ受信手段，および上記データ受信手段により受信したデータに上記第１の画像データと当選データとが含まれていることに応じて，上記第１の画像データによって表される画像と上記当選データによって表される当選の旨を表示するように表示装置を制御する制御手段をさらに備えることとなろう。
【００１３】
さらに，上記クライアント・コンピュータは，当選に応じた商品をリクエストするデータを送信する当選品リクエスト・データ送信手段をさらに備えてもよい。この場合，上記画像サーバは，上記クライアント・コンピュータの上記当選品リクエスト・データ送信手段から送信された当選品リクエスト・データに応答して，対応する第２の画像データを上記クライアント・コンピュータに送信する当選品画像データ送信手段をさらに備えるものとなろう。
【００１４】
クライアント・コンピュータに接続された表示装置の表示画面上に当選の旨が表示されることにより，クライアント・コンピュータのユーザは，自分が何らかの抽選に当選したことが分かる。クライアント・コンピュータから当選品のリクエストをするデータが画像サーバに送信される。当選品のリクエスト・データが画像サーバにおいて受信されることにより，当選品に対応する画像データが画像サーバからクライアント・コンピュータに送信される。当選品に対応する画像データがクライアント・コンピュータにおいて受信されることとなる。
【００１５】
上記画像サーバの上記抽選手段は，たとえば，上記リクエスト・データ受信手段において受信したリクエスト・データに応答して，上記クライアント・コンピュータにリクエスト・データに対応した第１の画像データのほかに当選品である第２の画像データの送信を許可するかどうかを判定するものである。また，上記画像サーバの上記データ送信手段は，上記第１の画像データのほかに当選品である第２の画像データの送信を許可すると判定されたことに応じて，上記第１の画像データおよび上記当選データとを上記クライアント・コンピュータに送信するものである。
【００１６】
この発明は，上記画像データ通信システムを構成する画像サーバおよびクライアント・コンピュータも提供している。
【００１７】
第２の発明による画像サーバは，クライアント・コンピュータから送信されたリクエスト・データを受信する画像リクエスト・データ受信手段，上記画像リクエスト・データ受信手段においてリクエスト・データを受信したことに応答して，コンピュータを用いて抽選を行う抽選手段，ならびに上記抽選手段による抽選により当選となったことに応じて上記リクエスト・データ受信手段において受信したリクエスト・データに対応した第１の画像データおよび当選を報知する当選データを上記クライアント・コンピュータに送信し，上記抽選手段による抽選により当選から外れたことにより，上記リクエスト・データ受信手段において受信したリクエスト・データに対応して上記第１の画像データを上記クライアント・コンピュータに送信するデータ送信手段を備えている。
【００１８】
第２の発明は，上記画像サーバを制御する方法も提供している。すなわち，この方法は，クライアント・コンピュータから送信されたリクエスト・データを受信し，リクエスト・データを受信したことに応答して，コンピュータを用いて抽選を行い，抽選により当選となったことに応じて受信したリクエスト・データに対応した第１の画像データおよび当選を報知する当選データを上記クライアント・コンピュータに送信し，抽選により当選から外れたことにより，受信したリクエスト・データに対応して上記第１の画像データを上記クライアント・コンピュータに送信するものである。
【００１９】
第２の発明は，上記画像サーバを制御するプログラムおよびプログラムを格納した記録媒体も提供している。
【００２０】
第２の発明によると，上述したように，クライアント・コンピュータからの画像データのリクエストに応答して，コンピュータを用いて抽選が行われ当選すると，リクエストに応じた第１の画像データのほかに当選データがクライアント・コンピュータに送信される。クライアント・コンピュータのユーザは意図せずに，何らかの抽選に当たったことが分かるようになる。
【００２１】
第３の発明によるクライアント・コンピュータは，画像サーバに画像データをリクエストするデータを送信する画像リクエスト・データ送信手段，上記画像サーバにおいてリクエスト・データを受信したことに応答して行われる，コンピュータを用いた抽選により当選となったことに応じて上記画像サーバから送信されるリクエスト・データに対応した第１の画像データおよび当選を報知する当選データを受信し，抽選により当選から外れたことにより，リクエスト・データに対応して上記第１の画像データを受信するデータ受信手段，および上記データ受信手段により受信したデータに上記第１の画像データと当選データとが含まれていることに応じて，上記第１の画像データによって表される画像と上記当選データによって表される当選の旨を表示するように表示装置を制御する制御手段を備えている。
【００２２】
第３の発明は，上記クライアント・コンピュータに適した制御方法も提供している。すなわち，この方法は，画像サーバに画像データをリクエストするデータを送信し，上記画像サーバにおいてリクエスト・データを受信したことに応答して行われる，コンピュータを用いた抽選により当選となったことに応じて上記画像サーバから送信されるリクエスト・データに対応して第１の画像データおよび当選を報知する当選データを受信し，抽選により当選から外れたことにより，リクエスト・データに対応して上記第１の画像データを受信し，受信したデータに上記第１の画像データと当選データとが含まれていることに応じて，上記第１の画像データによって表される画像と上記当選データによって表される当選の旨を表示するように表示装置を制御するものである。
【００２３】
第３の発明は，クライアント・コンピュータを制御するプログラムおよびそのプログラムを格納した記録媒体も提供している。
【００２４】
第３の発明によると，上述したように，画像のリクエスト・データがクライアント・コンピュータから画像サーバに送信されると，画像サーバにおいて抽選が行われ，抽選に当たった場合には，画像サーバからクライアント・コンピュータに画像のリクエスト・データに対応する第１の画像データのみならず，当選データを受信することができる。
【実施例】
【００２５】
図１は，この発明の実施例を示すもので，画像データ通信システムの概要を示すブロック図である。
【００２６】
画像データ通信システムには，インターネットのようなネットワークを介して互いに通信可能な携帯電話（クライアント・コンピュータ）１とプログラム・サーバ２と画像サーバ３とが含まれている。画像サーバ３には，キャラクタの画像を表す画像データが多数記憶されている画像データベース４が接続されている。
【００２７】
携帯電話１には，メモリ・カードＭが装填可能である。プログラムが格納されたメモリ・カードＭが携帯電話１に装填されることにより，そのプログラムが携帯電話１にインストールされる。すると，後述する動作が携帯電話１において行われる。また，携帯電話１のプログラムは，プリインストールされていてもよいし，プログラム・サーバ２からダウンロードしてもよいのはいうまでもない。
【００２８】
画像サーバ３は，CD-ROM（コンパクト・ディスク−リード・オンリ・メモリ）が装填可能である。プログラムが格納されたCD-ROMが画像サーバ３に装填されることにより，そのプログラムが画像サーバ３にインストールされる。すると，後述する動作が携帯電話１において行われる。画像サーバ３においても動作プログラムは，プログラム・サーバ２からダウンロードしてもよい。
【００２９】
この実施例による画像データ通信システムにおいては，携帯電話１からのリクエストに応じて画像サーバ３から携帯電話１に画像データを送信するものである。リクエストがあった場合に，画像サーバ３においてコンピュータによる抽選が行われる。抽選に当たった場合には，リクエストに応答した画像データが画像サーバ３から携帯電話１に送信されるだけでなく，抽選に当選した旨のデータも画像サーバ３から携帯電話１に送信される。携帯電話１のユーザは，画像データをリクエストしたことにより，抽選が行われ，当選するという意外性をもつこととなる。画像サーバ３に画像データを再びリクエストするようにもなる。もっとも，携帯電話１のユーザにあらかじめ抽選があることを知らせておいてもよい。画像サーバ３へのアクセスの動機付けとなる。
【００３０】
携帯電話１には，被写体を撮像するためのカメラ（カメラは必ずしも必要ではない），画像サーバ３にリクエスト・データを送信するための送信回路，画像サーバ３から送信された画像データを受信するための受信回路，ＣＰＵ，メモリ，操作ボタン，画像を表示するための表示装置などが設けられている。また，画像サーバ３には，表示装置，メモリ，CD-ROMドライブ，入力装置，リクエスト・データを受信するための受信回路，画像データを送信するための送信回路，カウンタなどが設けられている。
【００３１】
図２は，携帯電話１と画像サーバ３との間の通信処理手順を示すフローチャートである。
【００３２】
携帯電話１から画像サーバ３に（例えば，特定のサイトのアドレスにアクセスする）キャラクタの画像をリクエストするためのキャラクタ・リクエスト・データが送信される（ステップ11）。この実施例においては，キャラクタの画像のリクエストは，特定のキャラクタの画像のリクエストではなく，不特定のキャラクタの画像のリクエストとされているが，特定のキャラクタの画像をリクエストするようにしてもよい。特定のキャラクタの画像をリクエストする場合には，キャラクタの識別データ（またはキャラクタの特定の画像の識別データ）も携帯電話１から画像サーバ３に送信されることとなろう。
【００３３】
携帯電話１から送信されたキャラクタ・リクエスト・データが画像サーバ３において受信されると（ステップ21でＹＥＳ），キャラクタの画像データをリクエストしたユーザの人数がカウントされる（ステップ22）。また，多数のキャラクタの中からあるキャラクタがランダムに選択される（ステップ23）。
【００３４】
カウントした結果，100人目のユーザに該当すると（ステップ24でＹＥＳ），その100人目のユーザは，抽選に当たったこととなる（カウントおよびカウント値が100となったかどうかが抽選である）。リクエストしたユーザが100人目であると，リクエストに応じてランダムに選択されたキャラクタの画像データが画像データベース４から読み取られる。読み取られたキャラクタ画像データ（第１の画像データ）と当選データとが画像サーバ３から携帯電話１に送信される（ステップ25）。
【００３５】
カウント値が100にならなければ（ステップ24でＮＯ），リクエストしたユーザは，抽選に外れたこととなる。リクエストに応じてランダムに選択されたキャラクタの画像を表す画像データが画像データベース４から読み取られる。読み取られたキャラクタ画像データが画像サーバ３から携帯電話１に送信される（ステップ26）。
【００３６】
画像サーバ３から送信されたデータが携帯電話１において受信される。携帯電話１において，キャラクタ画像データと当選データとが受信されたかどうかが判断される（ステップ12）。キャラクタ画像データと当選データとが携帯電話１において受信されると（ステップ12でＹＥＳ），携帯電話１の表示装置には，キャラクタ画像データによって表されるキャラクタ画像と当選の旨が表示される（ステップ13）。
【００３７】
図３は，当選した場合に表示される携帯電話１の表示装置の表示画面に表示される画像の一例である。
【００３８】
携帯電話１の表示装置の表示画面には，撮像により得られた被写体像Ｉ１が表示されている。この被写体像Ｉ１の左下に，画像サーバ３から送信されたキャラクタ画像データによって表されるキャラクタ画像Ｉ２が表示されている。さらに，このキャラクタ画像Ｉ２の右側には，携帯電話１のユーザが抽選により当選したことを知らせる当選の旨のメッセージＭ１が表示されている。
【００３９】
携帯電話１のユーザは，携帯電話１の表示装置の表示画面に表示されたメッセージＭ１を見ることにより，自分が何らかの抽選に当たったことを知る。必要であれば，後述するように，当選品のリクエストを行うこととなる。
【００４０】
図２に戻って，携帯電話１のユーザが当選品のリクエストを行う場合には（ステップ15でＹＥＳ），画像データをリクエストした画像サーバ３に当選品のリクエスト・データが送信される（ステップ16）。
【００４１】
当選品のリクエスト・データが画像サーバ３において受信されると（ステップ27でＹＥＳ），正当な当選者かどうかが確認される。たとえば，携帯電話１の電話番号，アドレス（インターネット・プロトコル・アドレス）などの識別データを，画像データのリクエスト時に携帯電話１から取得して，当選した場合には記憶しておき，当選品リクエスト・データの受信時にチェックすることにより確認ができる。正当な当選者からの当選品リクエスト・データであることが確認されると，当選品である画像データ（第２の画像データ）が画像サーバから携帯電話１に送信される（ステップ28）。当選品である画像データは，携帯電話１からリクエストのあったキャラクタ画像と同じ種類の画像データ，携帯電話１からリクエストのあったキャラクタ画像よりも高解像度の画像を表す画像データ，リクエストのあったキャラクタ画像とは関係の無い画像データなどが考えられる。もっとも，当選品は必ずしも画像データでなくとも良く，ぬいぐるみなどのキャラクタ商品（郵送または，ユーザが所定の店に取りに行くこととなろう。）でもよい。
【００４２】
携帯電話１において，画像サーバ３から送信された当選品画像データが受信されると（ステップ17でＹＥＳ），受信した当選品画像データによって表される当選品画像が携帯電話１の表示装置の表示画面上に表示される（ステップ18）。
【００４３】
携帯電話１において当選データが受信されなければ（ステップ12でＮＯ），携帯電話１の表示装置には，キャラクタ画像データによって表されるキャラクタ画像が表示される（ステップ14）。抽選には外れているので，当選の旨の表示はされない。
【００４４】
図４は，抽選に外れた場合に表示される携帯電話１の表示装置の表示画面に表示される画像の一例である。
【００４５】
携帯電話１の表示装置の表示画面には，撮像により得られた被写体像Ｉ１が表示されている。この被写体像Ｉ１の左下に，画像サーバ３から送信されたキャラクタ画像データによって表されるキャラクタ画像Ｉ２が表示されている。上述したように，表示画面には当選のメッセージは表示されない。
【００４６】
上述した実施例においては，キャラクタ画像をリクエストしたユーザの人数をカウントし，100人目のユーザに当選品データを送信するようにしているが，ランダムに決定するなどその他の方法により当選を決定してもよい。また，上述の実施例においては，当選した旨を携帯電話１にユーザに知らせてから，当選品画像データを携帯電話１に送信しているが，当選したことにより当選した旨を知らせることなく当選品画像データを送信するようにしてもよい。
【００４７】
図５は，変形例を示すもので，携帯電話１の表示装置の表示画面に表示される画像の一例である。
【００４８】
上述した実施例においては，当選するとキャラクタ画像のほかに当選した旨を携帯電話１のユーザに知らせるメッセージが表示されるが（図４参照），図５に示す表示画面には，携帯電話１のユーザのリクエストに応じて表示されるキャラクタ画像Ｉ２および当選のメッセージＭ１のほかに当選によるユーザの喜びのメッセージＭ２も表示されている。
【００４９】
このように，ユーザの喜びのメッセージを表示するためには画像サーバ３から携帯電話１にキャラクタ画像データおよび当選データが送信されほかに，メッセージ・データも送信されるのはいうまでもない。メッセージ・データが携帯電話１において受信されることにより，そのメッセージ・データによって表される喜びのメッセージＭ２が携帯電話１の表示画面上に表示されるようになる。
【００５０】
さらに好ましくは，表示画面に表示される撮像画像Ｉ１に顔の部分が含まれているかどうかを判定し，その顔の画像部分に合わせて喜びのメッセージＭ２が表示されるようにする。その場合には，撮像画像Ｉ１の中の肌色の部分の領域判定が行われ，肌色部分の領域（全体の領域に対してある程度の割合をもつ肌色領域）に合わせて喜びのメッセージＭ２を表示するとよい。
【図面の簡単な説明】
【００５１】
【図１】画像データ通信システムの概要を示すブロック図である。
【図２】携帯電話と画像サーバとの処理手順を示すフローチャートである。
【図３】携帯電話に表示される画像の一例である。
【図４】携帯電話に表示される画像の一例である。
【図５】携帯電話に表示される画像の一例である。
【符号の説明】
【００５２】
１  携帯電話
２  プログラム・サーバ
３  画像サーバ
４  画像データベース
Ｉ１  被写体像
Ｉ２  キャラクタ画像
Ｍ１  当選メッセージ
【図１】
2005208778.tif 000003
【図２】
2005208778.tif 000004
【図３】
2005208778.tif 000005
【図４】
2005208778.tif 000006
【図５】
2005208778.tif 000007